(57)【要約】      （修正有）【課題】コスト低減を図ることができる吐水装置を提供する。【解決手段】吐水装置Ａは、複数の吐水部１１〜１４と、複数の吐水部１１〜１４への給湯温度を個別に設定可能な温度設定操作部と、給水源３８から供給された水と給湯源３９から供給された湯を、混合して複数の吐水部１１〜１４に供給可能な１つの混合部３７と、複数の吐水部１１〜１４への給湯温度が温度設定操作部における設定温度となるように、混合部３７における水と湯の混合比を制御する制御部４２とを備えている。【選択図】図２
2020143463.tif 000002
【特許請求の範囲】
【請求項１】
複数の吐水部と、
前記複数の吐水部への給湯温度を個別に設定可能な温度設定操作部と、
給水源から供給された水と給湯源から供給された湯を、混合して前記複数の吐水部に供給可能な１つの混合部と、
前記複数の吐水部への給湯温度が前記温度設定操作部における設定温度となるように、前記混合部における水と湯の混合比を制御する制御部とを備えていることを特徴とする吐水装置。
【請求項２】
前記複数の吐水部が、ミストを吐出するミスト用吐水部を含み、
前記ミスト用吐水部の設定温度は、前記制御部において、前記ミスト用吐水部とは異なる他の前記吐水部の設定温度よりも高い温度に補正されるようになっていることを特徴とする請求項１記載の吐水装置。
【請求項３】
前記複数の吐水部が、ミストを吐出するミスト用吐水部を含み、
前記制御部は、吐水モードが前記ミスト用吐水部から湯を吐出するミストモードに切り替わったときに、前記ミスト用吐水部の給湯温度をモード切替え直前の前記吐水モードの給湯温度よりも高い温度に補正するようになっていることを特徴とする請求項１又は請求項２記載の吐水装置。
【発明の詳細な説明】
【技術分野】
【０００１】
本発明は、吐水装置に関する。
【背景技術】
【０００２】
特許文献１には、浴室用の吐水装置が開示されている。この吐水装置は、シャワーとカラン（蛇口）に加えて、ミスト用と腰シャワー用とマッサージ用の吐水部とを有している。これら複数の吐水部へ湯水を供給するための給水経路は、２系統に分かれている。２系統の給水経路には、夫々、各吐水部毎に設定した給水温度に応じて水と湯の混合比を適宜に調整する混合部が設けられている。
【先行技術文献】
【特許文献】
【０００３】
【特許文献１】特開２００９−１２５４９６号公報
【発明の概要】
【発明が解決しようとする課題】
【０００４】
上記の吐水装置では、複数の吐水部に所定温度の湯水を供給するための混合部が、複数の系統に分かれて設けられていたため、構造が複雑であり、コストアップの原因となっていた。
【０００５】
本発明は、上記従来の実情に鑑みてなされたものであって、コスト低減を図ることを解決すべき課題としている。
【課題を解決するための手段】
【０００６】
本発明の吐水装置は、複数の吐水部と、温度設定操作部と、１つの混合部と、制御部とを備えている。温度設定操作部は、前記複数の吐水部への給湯温度を個別に設定可能である。１つの混合部は、給水源から供給された水と給湯源から供給された湯を、混合して前記複数の吐水部に供給可能である。制御部は、前記複数の吐水部への給湯温度が前記温度設定操作部における設定温度となるように、前記混合部における水と湯の混合比を制御する。
【発明の効果】
【０００７】
複数の吐水部のうちいずれかの吐水部が選択されると、制御部によって混合部における水と湯の混合比が制御される。したがって、使用する吐水部を選択するだけで、選択した吐水部から設定温度の湯が吐出される。複数の吐水部に対して混合部が１つだけで済むので、コスト低減を図ることができる。
【図面の簡単な説明】
【０００８】
【図１】実施例１の吐水装置の斜視図である。
【図２】吐水装置の構成をあらわしたブロック図である。
【図３】温度設定時においてミストモードの設定温度を補正する手順をあらわしたフローチャートである。
【図４】吐水部への給湯中においてミストモードの給湯温度を補正する制御手順をあらわしたフローチャートである。
【図５】温度設定操作部の表示形態をあらわした正面図である。
【発明を実施するための形態】
【０００９】
本発明の吐水装置は、前記複数の吐水部が、ミストを吐出するミスト用吐水部を含んでもよい。前記ミスト用吐水部の設定温度は、前記制御部において、前記ミスト用吐水部とは異なる他の前記吐水部の設定温度よりも高い温度に補正されるようになっていてもよい。ミスト吐水部から吐出されたミストは、他の吐水部から吐出される湯に比べると温度が低下し易い。この対策として、制御部は、ミスト用吐水部の設定温度を、他の吐水部よりも高くなるように自動的に補正するようにしている。ミスト用吐水部の設定温度を高くなるように補正しておけば、ミスト以外の吐水部からの湯を浴びた直後にミストを浴びたときに、体感温度が低く感じられるおそれがない。
【００１０】
本発明の吐水装置は、前記複数の吐水部が、ミストを吐出するミスト用吐水部を含んでいてもよい。前記制御部は、吐水モードが前記ミスト用吐水部から湯を吐出するミストモードに切り替わったときに、前記ミスト用吐水部の給湯温度をモード切替え直前の前記吐水モードの給湯温度よりも高い温度に補正するようにしてもよい。ミスト吐水部から吐出されたミストは、他の吐水部から吐出される湯に比べると温度が低下し易い。この対策として、制御部は、吐水モードがミストモードへ切り替わったときに、ミストモードの給湯温度をモード切替え直前の吐水モードよりも高くなるように自動的に補正するようにしている。ミストモードの給湯温度を高くなるように補正すれば、ミストモード以外の吐水モードで湯を浴びた直後にミストを浴びても、体感温度が低く感じられるおそれがない。
【００１１】
＜実施例１＞
以下、本発明を具体化した実施例１を図１〜図５を参照して説明する。尚、以下の説明において、前後の方向については、図１にあらわれる面を前面とする。上下の方向については、図１にあらわれる向きを、そのまま上方、下方と定義する。左右の方向については、図１にあらわれる向きを、そのまま左方、右方と定義する。
【００１２】
本実施例１の吐水装置Ａは、浴室に設置されるものである。図１に示すように、吐水装置Ａは、上下方向に長い方形のハウジング１０を有する。ハウジング１０は浴室の壁面に取り付けられる。吐水装置Ａは、ヘッドシャワー用吐水部１１（請求項に記載の吐水部）と、ハンドシャワー用吐水部１２（請求項に記載の吐水部）と、ミスト用吐水部１３と（請求項に記載の吐水部）、カラン用吐水部１４（請求項に記載の吐水部）とを有する。
【００１３】
ヘッドシャワー用吐水部１１は、ハウジング１０の正面上端部に配置されている。ヘッドシャワー用吐水部１１は、他の３つの吐水部１２〜１３よりも大口径であり、三次元方向に向きを変えることができるようになっている。ヘッドシャワー用吐水部１１からは、下向きに湯が吐出されるようになっている。本実施例１では、ヘッドシャワー用吐水部１１から湯を吐出させる使用形態を、ヘッドシャワーモードという。
【００１４】
ハンドシャワー用吐水部１２は、ハウジング１０の外側面から延びた可撓性を有するシャワーホース１５と、シャワーホース１５の先端部に取り付けたシャワーヘッド１６とを備えている。本実施例１では、ハンドシャワー用吐水部１２のシャワーヘッド１６から湯を吐出させる使用形態を、ハンドシャワーモードという。
【００１５】
ミスト用吐水部１３は、複数のノズル１７を備えて構成されている。複数のノズル１７は、ハウジング１０の正面における左右両側縁部に沿って上下方向に並ぶように配置されている。各ノズル１７からは、ミスト（霧状の湯滴）が放出されるようになっている。本実施例１では、ミスト用吐水部１３から湯を吐出させる使用形態を、ミストモードという。
【００１６】
カラン用吐水部１４は、ハウジング１０の下端面に取り付けられている。カラン用吐水部１４は、水平に延びて水平に旋回可能なアーム部１８を有し、アーム部の先端部には、下向きに湯を吐出する吐水口１９が設けられている。吐水口１９から吐出する湯は、湯滴状ではなく、整流状に流れ落ちる。本実施例１では、カラン用吐水部１４から湯を吐出させる使用形態を、カランモードという。
【００１７】
吐水装置Ａは、ヘッドシャワー用ハンドル２１と、ハンドシャワー用ハンドル２２と、ミスト用ハンドル２３と、カラン用ハンドル２４とを有する。これら４つのハンドル２１〜２４は、正面形状が円形の円柱形をなし、ハウジング１０の正面における左右方向中央部において上下に並ぶように配置されている。ヘッドシャワー用ハンドル２１は一番上に配置され、その下にハンドシャワー用ハンドル２２が配置され、その下にミスト用ハンドル２３が配置され、一番下にカラン用ハンドル２４が配置されている。各ハンドル２１〜２４は、使用する吐水部１１〜１４を選択するためのモード選択操作と、対応する吐水部１１〜１４からの吐出量を変えるための流量変更操作を行うためのものである。
【００１８】
各ハンドル２１〜２４の正面にはタッチスイッチ２５が設けられている。各タッチスイッチ２５は、例えばリング状のＬＥＤからなる発光部２６を備えている。４つのタッチスイッチ２５のうち使用したい吐水部１１〜１４のタッチスイッチ２５に指が触れると、指が触れたタッチスイッチ２５がＯＮ状態となり、指が触れたタッチスイッチ２５の発光部２６が点灯する。指が触れたタッチスイッチ２５と対応する吐水部１１〜１４は、使用対象として選択される。ＯＮ状態のタッチスイッチ２５に指が触れると、指が触れたタッチスイッチ２５はＯＮ状態からＯＦＦ状態に切り替わり、点灯していた発光部２６が消灯する。ＯＦＦ状態となったタッチスイッチ２５と対応する吐水部１１〜１４は、使用対象から外れる。
【００１９】
いずれかのタッチスイッチ２５がＯＮ状態であるときに、別のタッチスイッチ２５に新たに触れると、ＯＮ状態であったタッチスイッチ２５がＯＦＦ状態に切り替わると同時に、新たに触れたタッチスイッチ２５がＯＦＦ状態からＯＮ状態に切り替わる。したがって、４つのタッチスイッチ２５のうち吐水可能なＯＮ状態になるのは、いずれか１つのタッチスイッチ２５だけであり、使用可能な状態になるのは４つの吐水部１１〜１４のうちいずれか１つの吐水部１１〜１４だけである。
【００２０】
各ハンドル２１〜２４は、時計回り方向と反時計回り方向のいずれにも、回転させることができるようになっている。各ハンドル２１〜２４の回転角度は、角度センサ２７（図２参照）により個別に検出されるようになっている。ＯＮ状態となっている吐水部１１〜１４と対応するハンドル２１〜２４を時計回り方向へ回転させると、その吐水部１１〜１４から吐出される湯の流量（給湯量）がハンドル２１〜２４の回転角度に比例して増大する。吐水部１１〜１４から湯が吐出している状態で、ハンドル２１〜２４を反時計回り方向へ回転させると、その吐水部１１〜１４から吐出される湯の流量（給湯量）がハンドル２１〜２４の回転角度に比例して減少するようになっている。ハンドル２１〜２４が所定角度まで回転されると、吐水部１１〜１４からの吐水が停止するようになっている。
【００２１】
図１に示すように、ハウジング１０の正面には、温度設定操作部２８が設けられている。温度設定操作部２８は、液晶パネル等からなり、ヘッドシャワー用吐水部１１よりも下方であり、且つミスト用吐水部１３の上端及びヘッドシャワー用ハンドル２１よりも上方の位置に配置されている。図５に示すように、温度設定操作部２８には、「ヘッドシャワー」、「ハンドシャワー」、「ミスト」、「カラン」の各文字２９が上から下へ順に並んで表示される。いずれかの文字２９を指で押すと、押された文字２９と対応する吐水部１１〜１４が温度調節の対象として選択される。吐水部１１〜１４を選択した旨の情報は、温度設定信号として出力される。
【００２２】
温度設定操作部２８には、各吐水部１１〜１４の設定温度３０が各吐水部１１〜１４の文字２９の右横に並んで表示されるとともに、「上向き三角形」の図形３１と「下向き三角形」の図形３２が表示されるようになっている。いずれかの吐水部１１〜１４を選択した状態において、「上向き三角形」の図形３１を指で押すと、選択した吐水部１１〜１４の設定温度が上昇する。「下向き三角形」の図形３２を指で押すと、選択した吐水部１１〜１４の設定温度が下降する。設定した温度の情報（設定温度情報）は、吐水部１１〜１４の選択情報とともに、温度設定信号として出力される。
【００２３】
温度設定操作部２８には、「終了」の文字３３が表示されるようになっている。「終了」の文字３３を指で押すと、温度設定の操作が終了した旨の情報が、吐水部１１〜１４の選択情報及び設定温度情報とともに、温度設定信号として出力される。「終了」の文字３３を指で押した後も、「ヘッドシャワー」、「ハンドシャワー」、「ミスト」、「カラン」のうちいずれかの文字２９を指で押せば、温度調節の操作が可能な状態となる。
【００２４】
吐水装置Ａは、図２に示すように、４つの吐水部１１〜１４に湯水を供給するための給水路３４を有している。給水路３４は、１本（１系統）の共用流路３５と、共用流路３５の下流端に分岐状（並列状）に接続された４本（４系統）の分岐流路３６とを有している。４本の分岐流路３６の下流端には、ヘッドシャワー用吐水部１１とハンドシャワー用吐水部１２とミスト用吐水部１３とカラン用吐水部１４が接続されている。
【００２５】
吐水装置Ａは混合部３７を有する。混合部３７は、共用流路３５の上流端に設けられている。混合部３７には、給水源３８の下流端と給湯源３９の下流端とが接続されている。混合部３７は、共用流路３５を開閉するための開閉弁機構（図示省略）と、開弁時における流量を調節する流量調節機構（図示省略）と、供給された水と湯の混合比を調節する温度調節機構（図示省略）とを兼ね備えている。
【００２６】
吐水装置Ａは温度センサ４０を有する。温度センサ４０は、共用流路３５の途中（混合部３７より下流側であり、且つ分岐流路３６の上流端よりも上流側の位置）に設けられ、共用流路３５を流れる湯水の温度を検出する。吐水装置Ａは、４つの電磁開閉弁４１を有する。４つの電磁開閉弁４１は、各分岐流路３６の途中に設けられ、各分岐流路３６における湯水の流動を許容する開弁状態（給水可能状態）と、各分岐流路３６における湯水の流動を停止する閉弁状態（止水状態）との間で切り替わる。
【００２７】
吐水装置Ａは、選択された吐水部１１〜１４から、その吐水部１１〜１４の設定温度の湯水を設定流量で吐出させるための制御部４２を有する。具体的には、制御部４２は、混合部３７の開閉弁機構と流量調節機構と温度調節機構を電気的に制御し、４つの電磁開閉弁４１の開閉動作を電気的に制御する。この制御を実行するため、図２に示すように、制御部４２には、４つのタッチスイッチ２５からのＯＮ・ＯＦＦ信号と、４つの角度センサ２７からの角度検出信号と、温度設定操作部２８からの温度設定信号と、温度センサ４０からの温度検出信号が入力されるようになっている。
【００２８】
次に、吐水装置Ａの使用形態について説明する。まず、各吐水部から吐出させる湯水の温度を設定する。設定の際には、温度設定操作部２８を操作することにより、使用する吐水部１１〜１４を選択するとともに、選択した吐水部１１〜１４から吐出させたい湯水の温度を設定する。各吐水部１１〜１４について、順次、温度を設定していく。設定が完了したら、「終了」の文字３３を押す。設定した温度の情報は、制御部４２の記憶部（図示省略）で記憶される。
【００２９】
制御部４２では、温度設定操作を行う際に、設定済みのミスト用吐水部１３の温度を補正する場合がある。補正を行うのは、ミスト用吐水部１３から吐出されるミストの温度が、吐出後に急激に低下し、ミストが身体に到達したときの体感温度が設定温度よりも低く感じるからである。補正は、ミスト用吐水部１３の温度を設定した後、他の３つの吐水部１１，１２，１４のうちいずれかの温度を設定する際に、設定済みのミスト用吐水部１３の温度を、その後に設定される吐水部１１，１２，１４の設定温度よりも高くなるように自動的に補正する。
【００３０】
温度設定中における自動補正制御の手順を、図３のフローチャートを参照して説明する。温度設定操作部２８においてミストを選択し（ステップＳ１００）、ミスト用吐水部１３の温度を設定する（ステップＳ１０１）。ミストの温度を設定する時点で、他の３つの吐水部１１，１２，１４の温度設定が完了している場合は、「終了」を押し操作し（ステップＳ１０２）、温度設定の操作を終了する。ミストの温度を設定した後、ミスト以外の吐水部１１，１２，１４を選択せず（ステップＳ１０３）、所定の待機時間が経過すると（ステップＳ１０４）、温度調節操作が終了したと見做される。
【００３１】
ミストの温度を設定した後、ミスト以外の吐水部１１，１２，１４の温度設定を行う場合は、ステップＳ１０３において設定対象となる吐水部１１，１２，１４を選択し、選択した吐水部１１，１２，１４の温度を設定する（ステップＳ１０５）。ステップＳ１０５で設定した温度は、設定済みのミストの設定温度と比較される（ステップＳ１０６）。ステップＳ１０５で設定した温度が、設定済みのミストの設定温度に比べて所定の温度（Ｔ℃）以上低い場合は、ミストの設定温度を補正しない。ステップＳ１０４で設定した温度が、設定済みのミストの設定温度に比べて所定の温度（Ｔ℃）以上低くない場合は、ミストの設定温度を補正する（ステップＳ１０７）。
【００３２】
ステップＳ１０７でミスト用吐水部１３の温度設定が完了した後、他のいずれの吐水部１１，１２，１４の温度設定も行わない場合は、「終了」を押し操作する（ステップＳ１０８）。ステップＳ１０７でミストの温度を設定した後、ミスト以外の他の吐水部１１，１２，１４を選択せず（ステップＳ１０９）、所定の待機時間が経過すると（ステップＳ１１０）、温度調節操作が終了したと見做される。ステップＳ１０７でミストの温度設定が済んだ後、さらに、ミスト以外の他の吐水部１１，１２，１４の温度設定を行う場合は、設定対象となる吐水部１１，１２，１４を選択し（ステップＳ１０９）、ステップＳ１０５に戻って、選択した吐水部１１，１２，１４の温度を設定する。
【００３３】
次に、制御部４２による吐水部１１〜１４からの吐水制御について説明する。使用する吐水部１１〜１４のタッチスイッチ２５を押すと、そのタッチスイッチ２５からＯＮ・ＯＦＦ信号が制御部４２に入力される。制御部４２は、分岐流路３６に設けられている４つの電磁開閉弁４１のうち選択した吐水部１１〜１４に接続されている電磁開閉弁４１のみを開弁し、他の３つの電磁開閉弁４１を閉弁状態とする。
【００３４】
この後、選択した吐水部１１〜１４のハンドル２１〜２４を時計回り方向へ回すと、角度センサ２７から角度検出信号が制御部４２に入力される。角度検出信号が入力されると、制御部４２は、回転角度に比例する流量を演算して設定するとともに、温度センサ４０からの検出信号と、選択した吐水部１１〜１４の設定温度の記憶情報に基づき、混合部３７の開閉弁機構と流量調節機構と温度調節機構に制御信号を送る。これにより、共用流路３５が開弁し、選択した吐水部１１〜１４の設定温度と同じ温度の湯が、ハンドル２１〜２４の回転角度に応じた流量で吐水部１１〜１４から吐出される。
【００３５】
吐出中にハンドル２１〜２４を時計回り方向へ回転させると、湯の吐出量が増し、ハンドル２１〜２４を反時計回り方向へ回転させると、湯の吐出量が少なくなる。尚、ハンドル２１〜２４の回転角度は、タッチスイッチ２５をＯＮ状態にした時点で、そのときのハンドル２１〜２４の回転位置が原点（止水位置）として設定される。この原点位置からハンドル２１〜２４を時計回り方向へ回転させると、原点からの回転角度に比例して吐水量が増大する。ハンドル２１〜２４を原点位置まで戻すと、止水状態となる。
【００３６】
温度設定操作においては、ミスト用吐水部１３の温度を設定した後、他の吐水部１１，１２，１４の温度設定を行わずに温度設定の操作を終了した場合、ミスト用吐水部１３の設定温度が他の吐水部１１，１２，１４の設定温度よりも所定温度（Ｔ℃）以上高くなっていないというケースがある得る。この場合、ミストモード以外の吐水モードで吐水部１１，１２，１４から吐出させた直後に、ミストモードに切り替えたときに、制御部４２は、予め設定されているミスト用吐水部１３の温度を自動補正する。これは、既に説明したように、ミストの吐出後における温度低下が著しいからである。
【００３７】
以下、制御部４２による吐水部１１〜１４への給湯制御と、給湯制御中においてミストモードの給湯温度を補正する制御手順を、図４に示すフローチャートを参照して説明する。給湯開始時にミストモード（ミスト用吐水部１３）が選択された場合（ステップＳ２００）、制御部４２は、制御用の設定温度をミストモード（ミスト用吐水部１３）の設定温度に変更する（ステップＳ２０１）。ミスト用吐水部１３からの吐出を停止してミストモードがＯＦＦになり（ステップＳ２０２）、ミスト以外の吐水モードが選択されない場合（ステップＳ２０３）、制御部４２による給湯制御（吐出制御）が終了する。
【００３８】
給湯開始時にミストモード（ミスト用吐水部１３）が選択されず（ステップＳ２００）、ミスト以外の吐水モードが選択されると（ステップＳ２０４）、制御部４２は、制御用の設定温度を、選択した吐水モード（ミスト用吐水部１３以外の吐水部１１，１２，１４）の設定温度に変更する（ステップＳ２０５）。選択した吐水部１１，１２，１４からの吐出を停止して、その吐水モードがＯＦＦになり（ステップＳ２０６）、ミスト以外の別の吐水モード（吐水部１１，１２，１４）が選択された場合（ステップＳ２０７）は、ステップＳ２０５に戻る。ステップＳ２０７において、ミスト以外の別の吐水モード（吐水部１１，１２，１４）が選択されず、ミストモード（ミスト用吐水部１３）も選択されない場合（ステップＳ２０８）は、制御部４２による給湯制御（吐出制御）が終了する。
【００３９】
ステップＳ２０７において、ミスト以外の別の吐水モード（吐水部１１，１２，１４）が選択されず、ステップＳ２０８においてミストモード（ミスト用吐水部１３）が選択された場合、制御部４２は、予め設定されているミスト用の給湯温度を自動補正する（ステップＳ２０９）。具体的には、設定済みのミストの設定温度と、ミストモードへの切替え直前の吐水モードの設定温度とを比較し、ミスト用吐水部１３から吐出される湯の温度が、ミストモードへの切替え直前の吐水モードの設定温度よりも所定温度（Ｔ℃）以上高くなるように補正する。
【００４０】
このようにミストモードで吐水される湯の温度を自動補正すれば、ミスト用吐水部１３から吐出されたミストの温度が低下しても、ミストモードへの切替え直前に吐出された湯を浴びたときの体感温度と、ミストを浴びたときの体感温度との温度差が殆どなくなる。したがって、ミストを浴びたときに体感温度が低く感じるという不快感を覚えずに済む。
【００４１】
上述のように、本実施例１の吐水装置Ａは、複数（４つ）の吐水部１１〜１４と、温度設定操作部２８と、１つの混合部３７と、制御部４２とを備えている。温度設定操作部２８は、複数の吐水部１１〜１４への給湯温度を個別に設定可能である。混合部３７は、給水源３８から供給された水と給湯源３９から供給された湯を、混合して複数の吐水部１１〜１４に供給可能である。制御部４２は、複数の吐水部１１〜１４への給湯温度が温度設定操作部における設定温度となるように、混合部３７における水と湯の混合比を制御する。
【００４２】
吐水装置Ａは、複数の吐水部１１〜１４のうちいずれかの吐水部１１〜１４が選択されると、制御部４２によって混合部３７における水と湯の混合比が制御される。したがって、使用する吐水部１１〜１４を選択するだけで、選択した吐水部１１〜１４から設定温度の湯が吐出される。複数の吐水部１１〜１４に対して混合部３７が１つだけで済むので、コスト低減を図ることができる。
【００４３】
複数の吐水部１１〜１４は、ミストを吐出するミスト用吐水部１３を含む。ミスト用吐水部１３から吐出されたミストは、他の吐水部１１，１２，１４から吐出される湯に比べると温度が低下し易い。そのため、ミスト用吐水部１３から、他の吐水部１１，１２，１４と同じ温度でミストを吐出すると、ミスト以外の吐水部１１，１２，１４からの湯を浴びたときに比べて、ミストを浴びたときの方が体感温度を低く感じる。
【００４４】
この対策として、制御部４２は、温度設定操作を行う際に、ミスト用吐水部１３の設定温度を、ミスト用吐水部１３とは異なる他の吐水部１１，１２，１４の設定温度よりも高い温度となるように自動的に補正する。ミスト用吐水部１３の設定温度を高くなるように補正しておけば、ミスト以外の吐水部１１，１２，１４からの湯を浴びた直後にミストを浴びたときに、体感温度が低く感じられるおそれがない。
【００４５】
同じく、ミストを浴びたときに体感温度を低く感じることの対策として、吐水モードが、ミスト以外の吐水部１１，１２，１４から湯を吐出する吐水モードから、ミスト用吐水部１３から湯を吐出するミストモードへ切り替わったときに、制御部４２は、ミスト用吐水部１３の給湯温度をモード切替え直前の吐水モードの給湯温度よりも高い温度に自動的に補正する。ミストモードの給湯温度を高くなるように補正すれば、ミストモード以外の吐水モードで湯を浴びた直後にミストを浴びても、体感温度が低く感じられるおそれがない。
【００４６】
＜他の実施例＞
本発明は上記記述及び図面によって説明した実施例に限定されるものではなく、例えば次のような実施例も本発明の技術的範囲に含まれる。
（１）上記実施例では、複数の吐水部がミスト用吐水部を含むが、本発明は、ミスト用吐水部を有しない吐水装置にも適用できる。
（２）上記実施例では、給湯温度を設定する際に、制御部においてミスト用吐水部の設定温度を補正するようにしたが、給湯温度設定時にミスト用吐水部の設定温度を補正しないようにしてもよい。
（３）上記実施例では、４種類の吐水部を有するが、吐水部の種類数は、３つ以下でもよく、５つ以上でもよい。
（４）上記実施例では、吐水部から湯が吐出している給湯状態では、複数の吐水部のうちいずれか１つの吐水部だけから湯が吐出されるようにしたが、複数の吐水部から湯が同時に吐出するようにしてもよい。
（５）上記実施例では、混合部が、水と湯の混合比（給湯温度）を調節する機構だけでなく、吐水部への給湯流量を調節する機構も兼ね備えているが、混合部は、吐水部への給湯流量調節機構を有しない形態であってもよい。この場合、共用流路に１つの給湯流量調節機構を設けてもよく、各吐水部用に分かれた複数の分岐流路に、複数の給湯流量調節機構を個別に設けてもよい。
（６）上記実施例では、吐水部使用中にミスト以外の吐水モードからミストモードに切り替わったときに、ミストモードの給湯温度を設定温度よりも高くなるように補正するようにしたが、吐水部使用中にミストモードの給湯温度を補正しないようにしてもよい。
（７）上記実施例では、ミスト用吐水部の温度を設定した後、他の吐水部の温度を設定するときに、設定済みのミスト用吐水部の温度を補正するようにしたが、これに限らず、ミスト用吐水部の温度を設定するときに、他の設定済みの吐水部との温度差を勘案した閾値を設定し、ミスト用吐水部の設定可能な温度を閾値以上の温度に限定するようにしてもよい。この場合、ミスト以外の吐水モードからミストモードに切り替わったときの温度補正が不要となる。
（８）上記実施例において、ミスト用吐水部の設定温度とミスト以外の吐水部の設定温度の温度差は、任意に変更できるようにしてもよく、季節や気温等によって自動的に設定されるようにしてもよい。
（９）上記実施例では、温度設定操作部における各吐水部の温度設定を手動で行うようにしたが、各吐水部の設定温度が、季節や気温や時間帯や浴室の使用者等に応じて自動的に設定される機能を温度設定操作部に付加してもよい。
【符号の説明】
【００４７】
Ａ…吐水装置
１１…ヘッドシャワー用吐水部（吐水部）
１２…ハンドシャワー用吐水部（吐水部）
１３…ミスト用吐水部（吐水部）
１４…カラン用吐水部（吐水部）
２８…温度設定操作部
３７…混合部
３８…給水源
３９…給湯源
４２…制御部
【図１】
2020143463.tif 000003
【図２】
2020143463.tif 000004
【図３】
2020143463.tif 000005
【図４】
2020143463.tif 000006
【図５】
2020143463.tif 000007